(57)【要約】【課題】出物を袋に入れるとき、従来のように大海袋を地面に置くだけでは、課題が山積みだった。出物は茶製品より安価であり、出物のための装置に経費はかけられない。しかし、上記のような作業者の精神的負担や肉体的負担を軽減するため、構造が簡単で、安価な装置を発明することを課題としている。【解決手段】本発明の第１手段は、複数の収容体の載置手段と、載置手段上で収容体を開放状態で保持する複数の保持手段と、載置手段の中心を回転軸として回転させる駆動手段と、より構成する製茶用収容体供給装置。【選択図】図１
2011173599.tif 000002
【特許請求の範囲】
【請求項１】
複数の収容体の載置手段と、載置手段上で収容体を開放状態で保持する複数の保持手段と、載置手段の中心を回転軸として回転させる駆動手段と、より構成することを特徴とする製茶用収容体供給装置。
【請求項２】
載置手段を予め設定した角度を回転させるためのセンサを設けることを特徴とする請求項１記載の製茶用収容体供給装置。
【請求項３】
収容物の量を測定するセンサを設けることを特徴とする請求項１又は２記載の製茶用収容体供給装置。
【請求項４】
収容物が予め設定した量になったとき、載置手段を回転することを特徴とする請求項１、２又は３記載の製茶用収容体供給装置。
【請求項５】
収容物が設定値になったとき、警報を発する警報手段を設けることを特徴とする請求項１、２、３又は４記載の製茶用収容体供給装置。
【請求項６】
載置手段が回転しているときには、収容体への投入を一時停止することを特徴とする請求項１、２、３、４又は５記載の製茶用収容体供給装置。
【請求項７】
保持手段は、袋を開放状態で保持する袋保持具と、袋を袋保持具に固定するために袋保持具に備えた袋固定具と、より構成することを特徴とする請求項１、２、３、４、５又は６記載の製茶用収容体供給装置。
【発明の詳細な説明】
【技術分野】
【０００１】
本発明は、製茶工場で大海袋などの収容体に茶葉などを投入するときに、収容体を置く装置に関するものであり、詳しくは、茶葉などの収容物が予め設定した量になったときに、収容体を次の収容体に切り替えるものである。
【背景技術】
【０００２】
製茶工場での収容体としては、大海袋、ゴミ袋、防湿性の袋内蔵のダンボール箱、コンテナ箱などがあり、茶製品を出荷するときには大海袋やダンボール箱などを用いている。大海袋とは、ナイロン製の袋を２つの紙の袋ではさんだ３重構造からなるものであり、２０、３０、３５、４０キログラム等のサイズがある。近年では、窒素充填をするため、アルミ製の大海袋などもある。製茶工場では、これらの収容体を用途に応じて使い分けており、大海袋には製茶途中に出てくる出物と呼ばれる茶葉を入れることもある。
【０００３】
出物とは、茎の皮が乾燥したケバ、硬い茎の棒、茶渋の塊などのその他などの総称であり、いずれも製茶途中の選別工程で通常の茶製品から選別されて、排出される。これらは通常の茶製品より価値が落ちるが、製品として出荷され、棒茶として飲用されたり、茶の加工品に利用されたりする。
【０００４】
製茶が完了した茶製品は特許文献１に記載されているような製茶用計量袋詰機により、計量され、大海袋に袋詰される。出物の場合は、特許文献２に記載されているように、大海袋を開いて、地面に置き、選別装置または搬送装置により投入されていた。
【０００５】
製茶工場の規模や処理量にもよるが、出物は少量ずつ継続的に排出され、１日に大海袋で１０袋以上になることもある。つまり、１時間に１、２回、大海袋を交換する必要があり、作業者はたびたび出物の排出口へ行き、大海袋の中の出物の量をチェックし、ある程度の量になっていれば、大海袋を交換し、量が少なければ、しばらくたってから再び量をチェックするということを繰り返していた。更に、出物が排出される所は１ヶ所とは限らず、大海袋のチェックを忘れる場所もあった。
【先行技術文献】
【特許文献】
【０００６】
【特許文献１】特開２００３−２４６３０１号公報
【特許文献２】特開２００１−２７５５６７号公報
【発明の概要】
【発明が解決しようとする課題】
【０００７】
茶製品を袋詰するための装置は、特許文献１のように自動化されているが、出物を袋詰するための装置は、特許文献２のように自動化されていない。たびたび出物の量をチェックに行くこと、出物が継続的に排出されるときに重い大海袋を急いで交換しなければならないこと、処理量によっては短時間おきに交換しなければならないこと、大海袋の開口が閉じてしまって出物が大海袋の外へ落ちること、更には大海袋の交換が遅れると満杯になって出物があふれ出ること、満杯になった大海袋が倒れて大海袋の中身がこぼれ落ちてしまうこと、大海袋が満杯になり大海袋への搬送装置が詰まってしまうこと、など、従来のように大海袋を地面に置くだけでは、課題が山積みだった。
【０００８】
出物は茶製品より安価であり、出物のための装置に経費はかけられない。しかし、上記のような作業者の精神的負担や肉体的負担を軽減するため、構造が簡単で、安価な装置を発明することを課題としている。
【課題を解決するための手段】
【０００９】
本発明の第１手段は、複数の収容体の載置手段と、載置手段上で収容体を開放状態で保持する複数の保持手段と、載置手段の中心を回転軸として回転させる駆動手段と、より構成する製茶用収容体供給装置。本発明の第２手段は、上記第１手段において、載置手段を予め設定した角度を回転させるためのセンサを設ける。本発明の第３手段は、上記第１または２手段において、収容物の量を測定するセンサを設ける。本発明の第４手段は、上記第１、２または３手段において、収容物が予め設定した量になったとき、載置手段を回転する。本発明の第５手段は、上記第１、２、３または４手段において、収容物が設定値になったとき、警報を発する警報手段を設ける。本発明の第６手段は、上記第１、２、３、４または５手段において、載置手段が回転しているときには、収容体への投入を一時停止する。本発明の第７手段は、上記第１、２、３、４、５または６手段において、保持手段は、袋を開放状態で保持する袋保持具と、袋を袋保持具に固定するために袋保持具に備えた袋固定具と、より構成する。
【発明の効果】
【００１０】
本発明の第１手段により、複数の収容体を準備しておくことができるので、収容体の切り替えが容易となる。本発明の第２手段により、載置台が予め設定した角度に回転するため、次の収容体への切り替えが容易となる。本発明の第３手段により、実際に収容体をのぞかなくても、収容物の量をチェックすることができる。本発明の第４手段により、自動で次の収容体への切り替えが可能となり、たびたびチェックに行く必要がなくなる。本発明の第５手段により、遠隔地にいても、装置の状況を把握することができ、必要に応じて装置のところへ行くことができる。本発明の第６手段により、収容体を切り替えている最中に、収容物が収容体の外（載置台の上）へ落ちることがなくなり、清潔になり、掃除する必要がなくなる。本発明の第７手段により、シンプルな構成で大海袋などの袋を保持することができる。
【図面の簡単な説明】
【００１１】
【図１】図１は本発明の装置の実施例を示した平面図である。（実施例１）
【図２】図２は図１の正面図である。
【図３】図３は図１の載置手段を回転させた実施例の平面図である。
【図４】図４は図３の正面図である。
【図５】図５は袋固定具の詳細図である。
【図６】図６は図５の袋固定具の動きを示した説明図である。
【図７】図７は大海袋の数が異なる実施例を示した平面図である。（実施例２）
【図８】図８は大海袋の数が異なる実施例を示した平面図である。（実施例３）
【図９】図９は実施例の載置台と底板の関係を示した図である。
【図１０】図１０は収容体がダンボール箱の実施例を示した平面図である。（実施例４）
【図１１】図１１は図１０の正面図である。
【発明を実施するための形態】
【００１２】
本発明の装置について図面を参照して説明する。収容体の載置手段は、円形の載置台２であり、この載置台２の下には底板４を設け、載置台２は底板４に取付けたベアリング２３により支持されている（図９参照）。この底板４の中心に支柱５を設ける。底板４には、駆動手段であるモータ６を設け、モータ６の載置台駆動ローラ７が載置台２の側壁８と接し、支柱５を中心として載置台２を回転させる構造となっている。載置台２は底板４に取付けたベアリング２３により支持されているので、底板４、支柱５は動かず、載置台２は回転する。載置台２の回転は時計回りや反時計回りをモータ６の回転で設定可能であるが、本実施例では時計回りとなっている。
【実施例１】
【００１３】
実施例１は、収容体は大海袋１、５個の大海袋１を載置する装置の例であり、大海袋１を保持するための保持手段を設ける。保持手段は、保持腕９、保持腕９に固定した袋保持具１０、袋保持具１０に固定した袋固定具１１とからなり、本実施例では５個の大海袋１を保持するため、５個の袋保持具１０を備えている。袋保持具１０は大海袋１を開放しておくため、大海袋１の内側に入る大きさとし、円形をしている。袋固定具１１はこの袋保持具１０の対向する所に２個１組で設けてあり、袋固定具支持板１１を用いて袋保持具１０に固定している（具体的には、図５、６のようなものである）。袋固定具１１のハンドル１２を動かすことにより、リンク部１５が動き、アーム１６が動いて、挟持板１３と袋保持具１０との間が開放し（図６）、挟持板１３と袋保持具１０の間に大海袋１を入れ、ハンドル１２を動かすことにより、挟持板１３と袋保持具１０との間が閉じられ、袋１を保持して固定することができる。これらの保持手段は、載置台２の中心に設けた回転支柱３に固定して設ける。回転支柱は載置台３とともに回転し、支柱５は回転支柱３の中を通っている。基本的には、大海袋１が載置台２へ接地する高さに袋保持具１０を設けるが、大海袋１の大きさによっては、大海袋１が載置台２へ接地しないことがある。
【００１４】
底板４と載置台２の周囲に、回転角度を計測するためのセンサを設ける。本実施例ではリミットスイッチ１７を用いており、底板４の周囲に１個のリミットスイッチ１７を設け、載置台２の周囲に等間隔（７２度）に５個のリミットスイッチ押し板１８を設け、所定角度を回転したときにリミットスイッチ１７をリミットスイッチ押し板１８が押して、所定角度を回転したことを検知し、回転を停止させる。センサはリミットスイッチでなくても、非接触式のセンサや他の接触式センサでもよく、他の回転角度計測方式でも良い。
【００１５】
投入する大海袋１上に大海袋１の中の量を調べるためのセンサを設ける。このセンサはセンサ支持具２０により支柱５に固定してあり、載置台２が回転してもセンサは回転しない。このセンサは、茶葉が満杯になったときに知らせる満杯センサや茶葉が設定した高さになったときに知らせる距離センサなどがあるが、本実施例では満杯センサ１９を使用する。
【００１６】
上記の装置の動きを説明する。本実施例は収容物を茶葉とした例である。まず、茶葉が搬送装置２２より排出される前に、大海袋１を袋保持具１０に装着する。すべての袋保持具１０に装着しなくてもいいが、長時間放置するためには、すべての袋保持具１０に大海袋１を装着するとよい（本実施例の図面１、２、３、４では、大海袋１を装着している袋保持具１０と、大海袋１を装着していない袋保持具１０を見られるように、大海袋１を３個装着している）。製茶がおこなわれると、適宜、搬送装置２２より茶葉２１が排出され、大海袋１に茶葉２１が投入される。大海袋１が茶葉２１で満杯になると、満杯センサ１９が感知し、モータ６を駆動させ、載置台２が回転（本実施例では時計回り）し、所定角度（本実施例の場合は７２度）回転すると、リミットスイッチ押し板１８がリミットスイッチ１７を押し、所定角度を回転したことを感知するため、モータ６を停止させる。これにより、大海袋１が次の空の大海袋１に切り替わる。（図１、２が７２度回転して、図３、４のようになる）
【００１７】
載置台２が回転している間、大海袋１へ茶葉２１を収容することができないため、載置台２が回転している間は、搬送装置２２を停止させ、投入を一時停止状態とすることも制御により可能である。
【００１８】
カウンターを設けて満杯になった大海袋１を数え、５個すべての大海袋１が満杯になる前に、警報音を鳴らしたり、警告灯を点灯または点滅させたりして、警報を出すことも可能である。また、大海袋１が満杯になり、載置台２を回転させるときに、警報を出すことも可能である。
【００１９】
すべての大海袋１が満杯になる前に、作業者は満杯になった大海袋１を袋保持具１０から取り外して載置台２から下ろし、次の大海袋１を袋保持具１０に装着する。
【００２０】
本発明の装置は、特許文献２のような選別装置から排出される茶葉（出物）を大海袋へ投入するときに設置したり、その他の選別装置から排出される茶葉（出物）を大海袋へ投入するときに設置したりしてもよい。また、選別装置以外の製茶機械から排出される茶葉（出物）を大海袋へ投入するときに設置してもよい。更には、計量はできないが、特許文献１のような茶製品の袋詰装置としても利用が可能である。茶製品を混合する製茶合組機のあとに設置することも可能である（距離センサや満杯センサ等で量を計測する）。
【実施例２】
【００２１】
本実施例は、大海袋１を４個載置する装置の例（図７）である。基本的な構造は、上記実施例１と同様であり、袋保持具１０が４個設けられている。リミットスイッチ押し板１８は９０度間隔で備えられており、載置台２が９０度回転すると、回転が停止する。本実施例では、すべての袋保持具１０に大海袋１を装着している。
【実施例３】
【００２２】
本実施例は、大海袋１を６個載置する装置の例（図８）である。基本的な構造は、上記実施例１と同様であり、袋保持具１０が６個設けられている。リミットスイッチ押し板１８は６０度間隔で備えられており、載置台２が６０度回転すると、回転が停止する。その他、大海袋１を装着できる数はいくつでもよい。本実施例では、すべての袋保持具１０に大海袋１を装着している。
【実施例４】
【００２３】
本実施例は、収容体がダンボール箱３１の例である。保持手段が前記実施例と異なり、載置台２上に設けたストッパー３２となり、このストッパー３２は載置台２が回転したときにダンボール箱３１が動かないようになっている。ダンボール箱３１に防湿性の袋３４が内蔵されていて、袋が開放状態で保持できないときは、袋の縁を段ボール箱の縁へ固定具３３を用いて保持すると良い。
【実施例５】
【００２４】
収容体は大海袋１、ダンボール箱３１以外の袋や箱でもよく、コンテナ箱を用いてもよく、収容物を廃棄する場合にはゴミ袋を用いてもよい。
【符号の説明】
【００２５】
１    大海袋
２    載置台
３    回転支柱
４    底板
５    支柱
６    モータ
７    載置台駆動ローラ
８    側壁
９    保持腕
１０    大海袋保持具
１１    大海袋固定具
１２    ハンドル
１３    挟持板
１４    大海袋固定具支持板
１５    リンク部
１６    アーム
１７    リミットスイッチ
１８    リミットスイッチ押し板
１９    満杯センサ
２０    センサ保持具
２１    茶葉
２２    搬送装置
２３    ベアリング
２４    ベアリング取付具
２５    レール
３１    ダンボール箱
３２    ストッパー
３３    固定具
３４    袋
【図１】
2011173599.tif 000003
【図２】
2011173599.tif 000004
【図３】
2011173599.tif 000005
【図４】
2011173599.tif 000006
【図５】
2011173599.tif 000007
【図６】
2011173599.tif 000008
【図７】
2011173599.tif 000009
【図８】
2011173599.tif 000010
【図９】
2011173599.tif 000011
【図１０】
2011173599.tif 000012
【図１１】
2011173599.tif 000013